(57)【要約】【課題】  構内交換機にボタン電話装置を収容したシステムにおいて、特番をダイヤルせず、かつ一つの操作で、主装置のダイヤルイン着信外線経由の着信を通話路切換用外線経由に切換えて代理応答することができる。【解決手段】  構内交換機１のダイヤルイン着信用内線（内線１、９）と主装置２、３のダイヤルイン着信用外線（外線１、９）とを接続し、構内交換機１の一般着信用内線と主装置２、３の一般着信用外線とを接続した。各ボタン電話機に、ダイヤルイン着信用外線選択ボタンと、一般着信用外線選択ボタンと、各外線の状態を表示する表示手段とを設けた。ダイヤルイン着信用外線１、９への着信時に、オフフック操作により、特番をダイヤルせず、ダイヤルイン着信外線１、９への着信をオフフックを行ったボタン電話機へ一般着信用外線経由に切換える指示を行うことで、代理応答させることができる。【選択図】        図１
2006108798.tif 000002
【特許請求の範囲】
【請求項１】
複数の外線捕捉ボタンを有するボタン電話機と、該ボタン電話機及び複数の外線を収容する主装置とからなり、到来した外線着信を内線通話路に通知するとともに前記着信通知した内線に対応付けた内線から内線捕捉要求及び所定の制御情報の送出を検出すると前記外線着信の通話路を前記内線捕捉要求内線通話路に切換え接続する機能を有する交換機に接続されるボタン電話装置であって、
前記外線着信を検出する着信検出手段と、前記ボタン電話機における外線捕捉操作を検知する操作検知手段と、該操作検知手段による検知に応じて前記外線捕捉要求及び制御情報の送出を行なう送出手段とを備えたことを特徴とするボタン電話装置。
【請求項２】
請求項１記載のボタン電話装置において、前記着信検知手段による検知に応じて前記ダイヤルイン着信用外線の捕捉ボタンと前記通話路切換用外線の捕捉ボタンとを同期して点滅表示させる手段を備えたことを特徴とするボタン電話装置。
【発明の詳細な説明】
【技術分野】
【０００１】
本発明はボタン電話装置に関し、特に、１つの内線に同一ダイヤルイン番号を伴う複数のダイヤルイン呼の同時着信を可能にした構内交換機（ＰＢＸ）に収容したときのダイヤルイン着信時の通話路切換操作を簡単にするものである。
【背景技術】
【０００２】
ダイヤルイン機能は、構内交換機に収容されている所望の内線に対し、外部の電話機からダイヤルで直接接続できるようにする機能である。外部の電話機のユーザがダイヤルイン番号をダイヤルすると、構内交換機は予め設定されているダイヤルイン番号の対象内線を呼び出し、その対象内線に接続された内線電話機が応答することで、着信した局線と応答内線との間の通話路が形成される。
【０００３】
このようなダイヤルイン機能の利便性を向上させるため、電話局からの局線に構内交換機を接続し、構内交換機に電話機を接続したシステムにおいて、同一の番号情報を伴うダイヤルイン着信が複数存在する場合には、複数の機能ボタンに割り当てて着信を制御するダイヤルイン着信制御方式が提案されている（特許文献１参照）。このダイヤルイン着信制御方式によれば、図１２に示すように、構内交換機101 に複数の機能ボタンを備えた多機能電話機又はボタン電話機をｎ台収容し、各電話機102-1 〜102-n の機能ボタンF1〜F5（図示せず）にダイヤルイン着信番号" 03-9999-1234" の着信表示が行われるように設定することにより、５本の回線を有するダイヤルイン局線105 からの着信時に各電話機102-1 〜102-n の機能ボタンF1〜F5に対応するランプで着信表示を行い、何れかの電話機が応答することで、ダイヤルイン局線105 と応答内線との間の通話路を形成する。また、例えば電話機102-1 が機能ボタンF1を押してダイヤルイン着信に応答しているときに、新たにダイヤルイン局線105 からダイヤルイン着信番号" 03-9999-1234" の着信があった場合は、各電話機102-1 〜102-n の機能ボタンF2〜F5の何れかのランプで着信表示を行い、電話機102-2 〜102-n の何れかが応答することで、ダイヤルイン局線105 と応答内線との間の通話路を形成する。一般回線106 に着信したときは、各電話機102-1 〜102-n の外線ボタンに対応するランプで着信表示を行う。
【特許文献１】特開平４−１０４６９５号公報
【発明の開示】
【発明が解決しようとする課題】
【０００４】
図１２に示すシステムに複数のボタン電話装置を収容し、ボタン電話装置毎にダイヤルイン番号を割り当てることが考えられる。図１３はこのようなシステムの一例であり、主装置109 、110 と、それぞれの内線に収容されたボタン電話機111-1 〜111-n 、112-1 〜112-n からなる２つのボタン電話装置が構内交換機101 の内線に収容されている。このシステムでも図１２と同様に、５本の回線を有するダイヤルイン局線105 からの着信時にボタン電話機111-1 〜111-n の５個の外線ボタンに対応するランプで着信表示を行い、何れかの電話機が応答することで、ダイヤルイン局線105 と応答したボタン電話機との間の通話路を形成する。また、５本の回線を有するダイヤルイン局線107 からの着信時にボタン電話機112-1 〜112-n の５個の外線ボタンに対応するランプで着信表示を行い、何れかの電話機が応答することで、ダイヤルイン局線107 と応答したボタン電話機との間の通話路を形成する。
【０００５】
しかしながら、図１３に示すシステムにおいて、例えば電話機111-1 が外線１のボタンを押してダイヤルイン着信に応答しているときに、新たにダイヤルイン局線105 からダイヤルイン着信があった場合は、構内交換機101 のダイヤルイン着信用内線103-1 が使用中であるため、他の内線を使用しなければ、電話機111-2 〜111-n の何れかとダイヤルイン局線105 との間の通話路を形成できない。従って、ダイヤルイン局線105 の５回線の全てとボタン電話機111-1 〜111-n の内の５台との間に通話路を形成するためには、ダイヤルイン局線105 の回線数と同じ５本の内線が必要となる。主装置110 に収容されたボタン電話機についても同様であるから、全体で１０本の内線がダイヤルイン着信のために必要となる。
【０００６】
つまり、電話局からの局線に交換機を接続し、さらに交換機にボタン電話装置を接続したシステムにおいては、特許文献１に記載されたような複数の機能ボタンに割り当てて制御することができない。詳細には、同一の番号情報を伴うダイヤルイン着信が複数存在すると、交換機からボタン電話装置の外線に対して物理的に複数の着信を振り分けることになり、多くの外線が必要となる。また、交換機に収容したダイヤルイン着信外線とボタン電話装置に接続する回線数とを同じにすると、１つの外線に同一の番号情報を伴うダイヤルイン着信回線が５つ存在可能であっても、１つのダイヤルイン回線しか利用できないので、ボタン電話装置の電話機がダイヤルイン着信と対応する回線を使用してしまうと、その外線を使用している間は同一の番号情報を伴っているダイヤルイン着信を受けることが出来なくなってしまうという問題が発生する。
【０００７】
そこで、この問題を解決するために、交換機に接続されたボタン電話装置がダイヤルイン着信に応答する際に、着信外線以外の空外線を捕捉し、特番をダイヤルすることで、交換機が特番を受信してダイヤルイン着信をダイヤルイン着信外線以外の空外線に接続する代理応答が考えられる。図１３を用いて説明すると、ダイヤルイン局線105 からダイヤルイン着信があった場合に、ボタン電話機111-1 〜111-n の何れかで応答する際に外線ボタンに対応するランプを見て空外線の有無を確認し、空外線を捕捉した後に代理応答用特番をダイヤルすることにより、予め設定されている代理応答用内線103-2 にダイヤルイン着信の通話路路を切換えるものである。これにより、ダイヤルイン着信用の内線103-1 が空くため、ダイヤルイン局線105 から新たなダイヤルイン着信があったときに、内線103-1 を用いてダイヤルイン局線105 との間の通話路を形成できる。
【０００８】
しかしながら、前述した代理応答は、空外線の捕捉と特番のダイヤルという二つの操作が必要であるため、操作が煩わしい。また、代理応答用の特番を知らないと代理応答を行えない。
【０００９】
本発明は、このような問題を解決するためになされたものであり、その第１の目的は、一つの操作で代理応答を可能にすることである。また、第２の目的は、特番をダイヤルせずに代理応答を可能にすることである。
【課題を解決するための手段】
【００１０】
請求項１に係る発明は、複数の外線捕捉ボタンを有するボタン電話機と、該ボタン電話機及び複数の外線を収容する主装置とからなり、到来した外線着信を内線通話路（第１の通話路）に通知するとともに前記着信通知した内線に対応付けた内線から内線捕捉要求及び所定の制御情報の送出を検出すると前記外線着信の通話路を前記内線捕捉要求内線通話路（第２の通話路）に切換え接続する機能を有する交換機に接続されるボタン電話装置であって、前記外線着信を検出する着信検出手段と、前記ボタン電話機における外線捕捉操作を検知する操作検知手段と、該操作検知手段による検知に応じて前記外線捕捉要求及び制御情報の送出を行なう送出手段とを備えたことを特徴とするボタン電話装置である。
請求項２に係る発明は、請求項１記載のボタン電話装置において、前記着信検知手段による検知に応じて前記ダイヤルイン着信用外線の捕捉ボタンと前記通話路切換用外線の捕捉ボタンとを同期して点滅表示させる手段を備えたことを特徴とするボタン電話装置である。
【発明の効果】
【００１１】
本発明によれば、ボタン電話機において外線捕捉操作を行うことにより、特番をダイヤルせず、かつ一つの操作で第１の通話路から第２の通話路に切換えて代理応答することができる。
【発明を実施するための最良の形態】
【００１２】
以下、本発明の実施形態について図面を参照して説明する。
図１は本発明の実施形態に係る電話システムの構成を示す図であり、図２はそのシステムにおける構内交換機の設定を示す図である。
【００１３】
図１に示すように、本発明の実施形態に係る電話システムは、構内交換機１と、構内交換機１に収容された２台の主装置２，３と、主装置２に収容された１０台のボタン電話機4-1 〜4-10と、主装置３に収容された９台のボタン電話機5-1 〜5-9 とからなる。主装置２とボタン電話機4-1 〜4-10とが１つのボタン電話装置を構成し、主装置３とボタン電話機5-1 〜5-9 とが１つのボタン電話装置を構成する。
【００１４】
構内交換機１は、外線１〜４からなる４本の外線端子と、内線１〜16からなる１６本の内線端子とを備えている。外線１、２、３、４には、それぞれダイヤルイン局線L1、一般回線L2、ダイヤルイン局線L3、一般回線L4が接続されている。内線１〜８は主装置２に接続され、内線９〜16は主装置３に接続されている。外線１、２、３、４は、構内交換機１内でそれぞれ内線１、２、９、３及び１０に接続されている。内線４、５、６、７、８には、それぞれ2100、2110、2120、2130、2140が付与され、内線11、12、13、14、15、16には、それぞれ3200、3210、3220、3230、3240、3250が付与されている。
【００１５】
図１及び図２（ａ）に示すように、ダイヤルイン局線L1及びL3はそれぞれ５本の回線からなり、同一ダイヤルイン番号を伴う５個ずつのダイヤルイン呼の着信が可能である。また、内線１へのダイヤルイン着信は内線４、５、６、７へ切換えることで代理応答が可能であり、内線９へのダイヤルイン着信は内線11、12、13、14へ切換えることで代理応答が可能である。
【００１６】
図３に示すように、構内交換機１は、時分割通話路スイッチ11と、ｎ個の外線トランク12-1〜12-nからなる外線トランク群12と、ｍ個の内線制御回路13-1〜13-mからなる内線制御回路群13と、時分割通話路スイッチ11、外線トランク群12及び内線制御回路群13を制御する制御装置14とを備えている。外線トランク群12の一端は局線に接続され、他端は時分割通話路スイッチ11に接続されている。内線制御回路群13の一端は主装置に接続され、他端は時分割通話路スイッチ11に接続されている。制御装置14はＣＰＵ14a とメモリ14b とを備えており、メモリ14b には図２に示した接続のための設定が記憶されている。
【００１７】
図４に示すように、主装置２は、時分割通話路スイッチ21と、ｍ個の外線インタフェース22-1〜22-mからなる外線インタフェース群22と、ｋ個の内線インタフェース23-1〜23-kからなる内線インタフェース群23と、時分割通話路スイッチ21、外線インタフェース群22及び内線インタフェース群23を制御する制御装置24とを備えている。外線インタフェース群22の一端は構内交換機１に接続され、他端は時分割通話路スイッチ21に接続されている。内線インタフェース群23の一端はボタン電話機に接続され、他端は時分割通話路スイッチ21に接続されている。制御装置24はＣＰＵ24a とメモリ24b とを備えており、メモリ24には、この主装置２が後述する各種動作を実行する際に使用するプログラム等が記憶されている。なお、主装置３の構成も主装置２と同じである。
【００１８】
図１に示す各ボタン電話機は同じ構成を持っているので、ここではボタン電話機４として図５を参照しながら構成を説明する。ボタン電話機４は、主装置に接続された伝送回路41と、伝送回路41に接続された通話回路42と、通話回路42に接続されたハンドセット43とを備えている。また、ＣＰＵ44と、それぞれがＣＰＵ44に接続された外線ボタン45、ダイヤルボタン46、機能ボタン47、フックスイッチ48、メモリ49、液晶表示部50、発光ダイオード表示部51及びトーンリンガ52を備えている。トーンリンガ52にはスピーカ53が接続されている。外線ボタン45と発光ダイオード表示部51とは、ボタン電話機４の筐体の表面に並んで配置されており、本実施形態では、外線ボタン45は構内交換機１の内線１〜８又は内線９〜16に対応する８個のボタンからなり、発光ダイオード表示部51も各ボタンに対応する８個の発光ダイオード（以下、ＬＥＤという）からなる。
【００１９】
以上の構成を有する電話システムの動作を説明する。本実施形態に係る電話システムは主装置２、３の設定により、ダイヤルイン着信時の動作モードを３種類の異なるモードから選択することが可能であり、以下、それらの動作モードを順に説明する。
【００２０】
〔１〕第１の動作モード
ダイヤルイン着信があったとき、ボタン電話機では、外線ボタン４５の内、ダイヤルイン着信した外線（外線１）のボタンに対応するＬＥＤが点滅する。（１）この状態でオフフックすると、着信した外線にそのまま応答し、代理応答は行わない。（２）前記ＬＥＤが点滅している状態で、オフフックせずに点滅中のＬＥＤに対応する外線ボタンを押下し、一定時間以内にオフフックすると、空外線を捕捉し、代理応答特番を送出して、代理応答を行う。ただし、空外線がない場合は、そのまま着信に応答し、代理応答は行わない。（３）一定時間経過後にオフフックした場合は、着信した外線にそのまま応答し、代理応答は行わない。（４）一定時間経過後もオフフックしない場合は、着信時の状態に戻る。（５）前記ＬＥＤが点滅している状態で、オフフックせずに点滅中のＬＥＤに対応する外線ボタン以外の外線ボタンを押下した場合は、押下した外線を捕捉し、発信を可能にする。
【００２１】
図６、７は、それぞれこの動作モードにおける主装置の制御装置24内のＣＰＵ24a の着信検出及び外線捕捉動作を示すフローチャートである。以下の説明では、便宜上、図２における主装置２のダイヤルイン着信時の動作について説明する。
図１におけるダイヤルイン局線L1からの着信は、構内交換機１における外線１に対応する外線トランク（ここでは12-1とする）から時分割通話路スイッチ11を通って内線１に対応する内線制御回路（ここでは13-1とする）へ送られ、そこから主装置２の外線インタフェース（ここでは22-1とする）へ送られる。主装置２では、制御装置24のＣＰＵ24a が外線インタフェース群22における着信の有無を監視しており（図６のステップＳ１）、着信を検出したときは（ステップＳ１でYES ）、内線インタフェース群23を介して、ボタン電話機4-1 〜4-10に着信鳴動要求及び着信外線（外線１）に対応するＬＥＤの点滅要求を行い（ステップＳ２の着信処理）、ステップＳ１に戻る。着信を検出しなかったときは、着信停止の有無を判定し（ステップＳ３）、着信停止を検出したときは（ステップＳ３でYES ）、内線インタフェース群23を介して、ボタン電話機4-1 〜4-10に着信鳴動停止要求及び着信回線（外線１）に対応するＬＥＤの点滅停止要求を行い（ステップＳ４の着信停止処理）、ステップＳ１に戻る。着信停止を検出しなかったときは、そのままステップＳ１に戻る。
【００２２】
主装置２の制御装置24はフックスイッチ48及び外線ボタン45の状態を監視しており、オフフックを検出したときは（図７のステップＳ11でYES ）、代理応答の要求があるか否かを判定し（ステップＳ12）、ない場合（ステップＳ12でNO）は着信の有無を判定する（ステップＳ16）。ダイヤルイン着信した外線（外線１）のボタンが押下されていない場合は代理応答要求がないため、ステップＳ16へ移行して着信の有無を判定する。ダイヤルイン着信があった場合は、その着信外線（外線１）を捕捉した後に外線処理を行う（ステップＳ22、24）。これにより、オフフックしたボタン電話機が主装置２を通して構内交換機１の内線１につながり、ダイヤルイン局線L1との間に通話路が形成される。これは前記（１）の場合の動作である。なお、ステップＳ16で着信がなかった場合は内線捕捉処理を行う。
【００２３】
ステップＳ11にてオフフックを検出せず、ステップＳ18にてダイヤルイン着信した外線（外線１）のボタンが押下されたと判定したときは、空外線の有無を判定する（ステップＳ19）。ここで、代理応答可能な全ての外線（主装置２の場合は構内交換機１の内線４〜７）の内、発信用に確保した所定数以外が使用中の場合に空外線なしとする。空外線がある場合は、タイマをスタートさせ、代理応答要求を行った後に（ステップＳ20、21）、ステップＳ11へ戻る。このステップＳ11でオフフックが検出された場合は、ステップＳ12で代理応答要求の有無を判定する。ここでは、代理応答要求があるため、ステップＳ13へ移行してタイムアップか否かを判定する。そして、タイムアップでなければ、構内交換機１に対して代理応答用外線（外線４〜７）の捕捉要求を行い（ステップＳ14）、構内交換機１へ代理応答用特番を送出する（ステップＳ15）。ステップＳ19で空外線がなかった場合は、着信外線を捕捉した後に外線処理を行う（ステップＳ22、24）。これは前記（２）の場合の動作である。
【００２４】
ステップＳ13でタイムアップとなった場合は、ダイヤルインした着信外線（外線１）の捕捉要求を行った後に、外線処理を行い（ステップＳ16でYES 、Ｓ22、Ｓ24）、着信に応答する。これは前記（３）の場合の動作である。
【００２５】
ステップＳ11にてオフフックを検出せず、ステップＳ18にてダイヤルイン着信した外線（外線１）のボタン以外の外線ボタン（外線２〜８の何れか）が押下されたと判定したときは（ステップＳ18でNO）、その押下された外線の捕捉を要求し（ステップＳ23）、外線処理を行う（ステップＳ24）。これは前記（５）の場合の動作である。
【００２６】
〔２〕第２の動作モード
ダイヤルイン着信があったとき、ボタン電話機では、外線ボタン４５の内、ダイヤルイン着信した外線（外線１）のボタンに対応するＬＥＤが点滅する。（１）この状態でオフフックすると、空外線を捕捉し、代理応答特番を送出し、代理応答を行う。ただし、空外線がない場合は、そのまま着信に応答し、代理応答は行わない。（２）前記ＬＥＤが点滅している状態で、オフフックせずに点滅中のＬＥＤに対応する外線ボタンを押下すると、空外線を捕捉し、代理応答特番を送出して代理応答を行う。ただし、空外線がない場合は、そのまま着信に応答し、代理応答は行わない。（３）前記ＬＥＤが点滅している状態で、オフフックせずに点滅中のＬＥＤに対応する外線ボタン以外の外線ボタンを押下した場合は、空外線を捕捉し、代理応答特番を送出して代理応答を行う。ただし、空外線がない場合は、そのまま着信に応答し、代理応答は行わない。つまり、この動作モードでは、ユーザがいずれの操作を行っても、空外線がある限り、代理応答を行う。
【００２７】
図８は、この動作モードにおける主装置の動作を示すフローチャートである。ここでも、第１の動作モードの説明と同様に図２における主装置２の着信時の動作について説明する。なお、この動作モードにおける着信処理は第１の動作モードの着信処理（図６）と同じであるため説明は省略し、外線捕捉処理について図８を参照しながら説明する。
【００２８】
主装置２の制御装置24内のＣＰＵ24a はフックスイッチ48及び外線ボタン45の状態を監視しており、オフフックを検出したときは（図８のステップＳ41でYES ）、着信の有無を判定する（ステップＳ42）。ここでは、ダイヤルイン着信があった場合を考えているので、ステップＳ43へ移行して、最も古い着信がダイヤルイン着信であるか否かを判定する。判定の結果、最も古い着信がダイヤルイン着信であれば、空外線の有無を判定し（ステップＳ44）、空外線があった場合（ステップＳ44でYES ）は、構内交換機１に対して代理応答用外線（外線４〜７の何れか）の捕捉要求を行い（ステップＳ45）、構内交換機１へ代理応答用特番を送出する（ステップＳ46）。空外線がなかった場合（ステップＳ44でNO）は、ダイヤルイン着信した外線（外線１）の捕捉要求を行った後に外線処理を行う（ステップＳ47、48）。これは前記（１）の場合の動作である。
【００２９】
ステップＳ43で最も古い着信がダイヤルイン着信ではないと判定された場合（ステップＳ43でNO）は、最も古い着信に対応する着信外線の捕捉を要求し、外線処理を行う（ステップＳ47、48）。この処理は、ダイヤルイン着信よりも前の一般着信に対する処理が済んでいない場合の動作である。なお、ステップＳ42で着信がないと判定した場合は内線捕捉処理（ステップＳ49）を行った後に終了する。
【００３０】
ステップＳ41にてオフフックを検出せず、ステップＳ50にてダイヤルイン着信した外線（外線１）のボタンが押下されたと判定したときは、空外線の有無を判定する（ステップＳ44）。空外線があった場合（ステップＳ44でYES ）は、代理応答用外線の捕捉要求を行い（ステップＳ45）、代理応答用特番を送出する（ステップＳ46）。空外線がなかった場合（ステップＳ44でNO）は、ダイヤルイン着信した外線（外線１）の捕捉要求を行った後に外線処理を行う（ステップＳ47、48）。これは前記（２）の場合の動作である。
【００３１】
ステップＳ41にてオフフックを検出せず、ステップＳ50にてダイヤルイン着信した外線（外線１）のボタン以外の代理応答用外線（外線４〜７の何れか）のボタンが押下されたと判定したときは（ステップＳ50でNO）、ダイヤルイン着信の有無を判定する（ステップＳ51）。ここでは、ダイヤルイン着信があった場合を考えているので、構内交換機１に対して代理応答用外線の捕捉要求を行い（ステップＳ45）、構内交換機１へ特番を送出する（ステップＳ46）。これは前記（３）の場合の動作である。なお、ダイヤルイン着信がなかった場合（ステップＳ51でNO）は、押下された外線ボタンのボタンに対応する外線の捕捉を要求し（ステップＳ52）、外線処理を行う（ステップＳ48）。
【００３２】
〔３〕第３の動作モード
この動作モードでは、ダイヤルイン着信があったとき、ボタン電話機では、外線ボタン４５の内、ダイヤルイン着信した外線（外線１）のボタンに対応するＬＥＤと代理応答用外線に対応する外線ボタン４５のボタンのＬＥＤとを同期して点滅させる。（１）この状態でオフフックした場合は、代理応答用外線を捕捉し、代理応答特番を送出して、代理応答を行う。（２）前記ＬＥＤが点滅している状態で、オフフックせずに点滅中のＬＥＤに対応するボタンを押下すると、代理応答用外線を捕捉し、代理応答特番を送出して代理応答を行う。（３）前記ＬＥＤが点滅している状態で、代理応答用外線のボタンを押下すると、代理応答用外線を捕捉し、代理応答特番を送出して代理応答を行う。（４）前記ＬＥＤが点滅している状態で、オフフックせずに点滅中のＬＥＤに対応するボタン以外の外線ボタンを押下すると、押下した外線を捕捉し、発信を可能にする。
【００３３】
図９及び図１０は、この動作モードにおける主装置の動作を示すフローチャートである。ここでも、第１の動作モードの説明と同様に図２における主装置２の着信時の動作について説明する。
主装置２では、制御装置24が外線インタフェース群22の状態を監視しており、新たな着信を検出したときは（ステップＳ61でYES ）、内線インタフェース群23を介して、ボタン電話機4-1 〜4-10に着信鳴動要求及び着信外線（外線１）に対応するＬＥＤの点滅要求を行う（ステップＳ62の着信処理）。次に、その着信がダイヤルイン着信であるか否かを判定し（ステップＳ63）、ダイヤルイン着信外線への着信であった場合は、代理応答用の空外線の有無を判定する（ステップＳ64）。空外線がある場合には（ステップＳ64でYES ）、ボタン電話機4-1 〜4-10の空いている代理応答用外線（外線４〜７）ボタンのうち何れかの１つに対応するＬＥＤと着信外線（外線１）ボタンに対応するＬＥＤの同期点滅要求を行うと共に構内交換機１に対して代理応答用外線の捕捉要求を行い（ステップＳ65の代理応答外線捕捉処理）、ステップＳ61へ戻る。空外線がない場合には、代理応答用外線の空待ち状態をセットした後に（ステップＳ66）ステップＳ61へ戻る。この空待ち状態は、終話等により外線が空き、代理応答外線捕捉処理が行われることでリセットされる。
【００３４】
新たな着信がなかった場合は（ステップＳ61でNO）、終話の有無を判定し（ステップＳ67）、終話があった場合は終話処理を行う（ステップＳ68）。終話がなかった場合は着信停止の有無を判定し（ステップＳ70）、着信停止があった場合は（ステップＳ70でYES ）着信停止処理を行う（ステップＳ71）。終話処理又は着信停止処理の結果、外線が１つ空くので、終話処理又は着信停止処理を行った後にダイヤルイン着信に対する代理応答用外線の空待ち状態か否かを判定し（ステップＳ69）、空待ち状態であった場合は代理応答外線捕捉処理（ステップＳ65）を行った後にステップＳ61へ戻り、空待ち状態でなかった場合はそのままステップＳ61へ戻る。
【００３５】
主装置２の制御装置24はフックスイッチ48及び外線ボタン45の状態を監視しており、オフフックを検出したときは（図１０のステップＳ81でYES ）、着信の有無を判定する（ステップＳ82）。ここでは、ダイヤルイン着信があった場合を考えているので、ステップＳ83へ移行して、最も古い着信がダイヤルイン着信であるか否かを判定する。判定の結果、最も古い着信がダイヤルイン着信であれば（ステップＳ83でYES ）、構内交換機１に対して代理応答用外線（外線４〜７の何れか）の捕捉要求を行い（ステップＳ88）、構内交換機１へ代理応答用特番を送出（ステップＳ89）した後に、着信鳴動の停止及びＬＥＤによる外線使用状態表示開始の指令を行う（ステップＳ85の外線処理）。これは前記（１）の場合の動作である。
【００３６】
最も古い着信がダイヤルイン着信でなかった場合は、最も古い着信に対応する着信外線の捕捉を要求し、外線処理を行う（ステップＳ84、85）。この処理は、ダイヤルイン着信よりも前の一般着信に対する処理が済んでいない場合の動作である。なお、ステップＳ82で着信がないと判定した場合は内線捕捉処理（ステップＳ86）を行った後に終了する。
【００３７】
ステップＳ81にてオフフックを検出せず、ステップＳ87にてダイヤルイン着信した外線（外線１）のボタンが押下されたと判定したときは、代理応答用外線の捕捉要求を行い（ステップＳ88）、代理応答用特番を送出（ステップＳ89）した後に、外線処理を行う（ステップＳ85）。これは前記（２）の場合の動作である。
【００３８】
ステップＳ87にてダイヤルイン着信した外線（外線１）のボタンが押下されていないと判定したときは、外線１のボタンと同期点滅中の代理応答専用ボタン（外線４〜７の何れかのボタン）が押下されたか否かを判定し（ステップＳ90）、押下された場合は代理応答用外線の捕捉要求を行い（ステップＳ88）、代理応答用特番を送出（ステップＳ89）した後に、外線処理を行う（ステップＳ85）。これは前記（３）の場合の動作である。
【００３９】
ステップＳ90にて代理応答専用ボタンが押下されていない（ステップＳ90でNO）と判定したときは、押下したボタン（代理応答専用ボタン以外の全ての外線２〜８の何れか）に対応する外線を捕捉し、発信を可能にする。これは前記（４）の場合の動作である。
【００４０】
以上、主装置及びボタン電話機の３つの動作モードについて説明した。次に、構内交換機１の動作について、図１１のフローチャートを参照しながら説明する。なお、構内交換機１の動作は前記３つの動作モードに共通である。
【００４１】
構内交換機１の制御装置14は内線制御回路群13の状態を監視しており、内線制御回路群13に回線捕捉要求が送られてくると（ステップＳ101 でYES ）、メモリ14b を参照して空内線の有無を判定する（ステップＳ102 ）。そして、空内線がある場合は空内線を捕捉し（ステップＳ103 ）、空内線がない場内はビジートーン発生等のエラー処理を行い（ステップＳ104 ）、どちらの場合もステップＳ101 へ戻る。次に、代理応答用特番を検出した場合は（ステップＳ105 でYES ）、ダイヤルイン着信外線（局線L1）とステップＳ103 で捕捉した空内線とを時分割通話路スイッチ11により接続し（ステップＳ106 ）、ダイヤルイン着信内線（内線１）の終話処理を行う。これにより、代理応答が行われる。ステップＳ105 で検出したのが代理応答用特番ではなかった（その他のダイヤル番号等）場合は、その他の処理を行う（ステップＳ108 ）。
【図面の簡単な説明】
【００４２】
【図１】本発明の実施形態に係る電話システムの構成を示す図である。
【図２】本発明の実施形態における構内交換機の設定を示す図である。
【図３】本発明の実施形態における構内交換機の構成を示すブロック図である。
【図４】本発明の実施形態における主装置の構成を示すブロック図である。
【図５】本発明の実施形態におけるボタン電話機の構成を示すブロック図である。
【図６】本発明の実施形態における主装置の着信処理の一例のフローチャートである。
【図７】本発明の実施形態における主装置の外線捕捉処理の一例のフローチャートである。
【図８】本発明の実施形態における主装置の外線捕捉処理の他の一例のフローチャートである。
【図９】本発明の実施形態における主装置の着信処理の他の一例のフローチャートである。
【図１０】本発明の実施形態における主装置の外線捕捉処理のさらに他の一例のフローチャートである。
【図１１】本発明の実施形態における構内交換機の処理のフローチャートである。
【図１２】１つの内線に同一ダイヤルイン番号を伴う複数のダイヤルイン呼の着信を可能にした構内交換機に多機能電話機又はボタン電話機を収容したシステムの構成を示す図である。
【図１３】１つの内線に同一ダイヤルイン番号を伴う複数のダイヤルイン呼の着信を可能にした構内交換機にボタン電話装置を収容したシステムの構成を示す図である。
【符号の説明】
【００４３】
１・・・構内交換機、２、３・・・主装置、4-1 〜4-10、5-1 〜5-9 ・・・ボタン電話機、22・・・外線インタフェース群、23・・・内線インタフェース群、24・・・制御装置、45・・・外線ボタン、48・・・フックスイッチ、51・・・ＬＥＤ表示部。
【図１】
2006108798.tif 000003
【図２】
2006108798.tif 000004
【図３】
2006108798.tif 000005
【図４】
2006108798.tif 000006
【図５】
2006108798.tif 000007
【図６】
2006108798.tif 000008
【図７】
2006108798.tif 000009
【図８】
2006108798.tif 000010
【図９】
2006108798.tif 000011
【図１０】
2006108798.tif 000012
【図１１】
2006108798.tif 000013
【図１２】
2006108798.tif 000014
【図１３】
2006108798.tif 000015